(57)【要約】【課題】操作の汎用性を向上できる放送受信装置を提供することを目的とする。【解決手段】受信した映像信号及び音声信号を映像受像機に供給し前記映像受像機１２にて表示する放送受信装置１０であって、映像受像機１２から供給されるメニュー表示要求を受信してチャンネル切換えの項目を含むメニュー表示の映像信号を生成して映像受像機１２に供給するメニュー表示手段２３ａと、映像受像機１２に表示されたメニューのチャンネル切換えの項目が選択されたとき映像受像機１２から供給されるアップ要求又はダウン要求を受信して、アップ要求又はダウン要求に対応してチャンネルアップ切換え又はチャンネルダウン切換えを行う切換え手段２４を有する。【選択図】図２
2011142458.tif 000002
【特許請求の範囲】
【請求項１】
受信した映像信号及び音声信号を映像受像機に供給し前記映像受像機にて表示する放送受信装置であって、
前記映像受像機から供給されるメニュー表示要求を受信してチャンネル切換えの項目を含むメニュー表示の映像信号を生成して前記映像受像機に供給するメニュー表示手段と、
前記映像受像機に表示されたメニューのチャンネル切換えの項目が選択されたとき前記映像受像機から供給されるアップ要求又はダウン要求を受信して、前記アップ要求又はダウン要求に対応してチャンネルアップ切換え又はチャンネルダウン切換えを行う切換え手段を
有することを特徴とする放送受信装置。
【請求項２】
請求項１記載の放送受信装置において、
前記メニュー表示手段は、前記映像受像機から供給されるメニュー表示要求を受信して前記チャンネル切換えの項目の代りに音量調整の項目を含むメニュー表示の映像信号を生成して前記映像受像機に供給し、
前記切換え手段は、前記映像受像機に表示されたメニューの音量調整の項目が選択されたとき前記映像受像機から供給されるアップ要求又はダウン要求を受信して、前記アップ要求又はダウン要求に対応してボリュームアップ切換え又はボリュームダウン切換えを行う
ことを特徴とする放送受信装置。
【請求項３】
請求項１記載の放送受信装置において、
前記メニュー表示手段は、前記映像受像機から供給されるメニュー表示要求を受信して前記チャンネル切換えの項目と音量調整の項目を含むメニュー表示の映像信号を生成して前記映像受像機に供給し、
前記切換え手段は、前記映像受像機に表示されたメニューのチャンネル切換えの項目が選択されたとき前記映像受像機から供給されるアップ要求又はダウン要求を受信して前記アップ要求又はダウン要求に対応してチャンネルアップ切換え又はチャンネルダウン切換えを行い、前記映像受像機に表示されたメニューの音量調整の項目が選択されたとき前記映像受像機から供給されるアップ要求又はダウン要求を受信して前記アップ要求又はダウン要求に対応してボリュームアップ切換え又はボリュームダウン切換えを行う
ことを特徴とする放送受信装置。
【発明の詳細な説明】
【技術分野】
【０００１】
本発明は、受信した映像信号及び音声信号を映像受像機に供給して表示する放送受信装置に関する。
【背景技術】
【０００２】
従来から、地上デジタルテレビジョン放送やケーブルテレビジョン放送、インターネットテレビジョン放送等の放送メディアを受信するセットトップボックス（ＳＴＢ）やビデオレコーダ等の放送受信装置がある。
【０００３】
このような放送受信装置は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等のデジタルインタフェースによりテレビジョン受像機に接続され、放送受信装置で受信された映像（音声を含む）がテレビジョン受像機に供給されて表示される。
【０００４】
なお、リモコンにより選局操作がなされたときに、外部チューナで受信可能な放送種別に応じて、ＴＶチューナと外部チューナのいずれか一方を操作対象として選択する操作対象選択を行う技術が知られている（例えば特許文献１参照）。
【先行技術文献】
【特許文献】
【０００５】
【特許文献１】特開２００８−６１０６５号公報
【発明の概要】
【発明が解決しようとする課題】
【０００６】
放送受信装置をテレビジョン受像機にＨＤＭＩで接続し、テレビジョン受像機のリモートコントローラ（以下、「リモコン」と略す）で放送受信装置を操作することを考える。すなわち、ＨＤＭＩ−ＣＥＣ（Ｃｏｎｓｕｍｅｒ  Ｅｌｅｃｔｒｏｎｉｃｓ  Ｃｏｎｔｒｏｌ）のリモートコントロールパススルー機能を用いて放送受信装置側のチャンネルと音量アップ／ダウンをテレビジョン受像機側から操作する。この場合、テレビジョン受像機が「ＣｈａｎｎｅｌＵＰ」，「ＣｈａｎｎｅｌＤｏｗｎ」，「ＶｏｌｕｍｅＵＰ」，「ＶｏｌｕｍｅＤｏｗｎ」等のコマンドの発行に対応しており、かつ、放送受信装置が上記各コマンドの実行に対応していている、という条件が不可欠である。
【０００７】
放送受信装置とテレビジョン受像機を同一メーカで製造する場合には、上記条件を満たすことも可能であるが、放送受信装置とテレビジョン受像機を別々のメーカで製造している場合には、上記のように、テレビジョン受像機のリモコンで放送受信装置側のチャンネルと音量アップ／ダウンを操作することはできず、汎用性が低いという問題があった。
【０００８】
本発明は、上記の点に鑑みなされたもので、操作の汎用性を向上できる放送受信装置を提供することを目的とする。
【課題を解決するための手段】
【０００９】
本発明の一実施態様による放送受信装置は、受信した映像信号及び音声信号を映像受像機に供給し前記映像受像機（１２）にて表示する放送受信装置（１０）であって、
前記映像受像機（１２）から供給されるメニュー表示要求を受信してチャンネル切換えの項目を含むメニュー表示の映像信号を生成して前記映像受像機（１２）に供給するメニュー表示手段（２３ａ）と、
前記映像受像機（１２）に表示されたメニューのチャンネル切換えの項目が選択されたとき前記映像受像機（１２）から供給されるアップ要求又はダウン要求を受信して、前記アップ要求又はダウン要求に対応してチャンネルアップ切換え又はチャンネルダウン切換えを行う切換え手段（２４）を有する。
【００１０】
好ましくは、前記メニュー表示手段（２３ａ）は、前記映像受像機（１２）から供給されるメニュー表示要求を受信して前記チャンネル切換えの項目の代りに音量調整の項目を含むメニュー表示の映像信号を生成して前記映像受像機（１２）に供給し、
前記切換え手段（２４）は、前記映像受像機に表示されたメニューの音量調整の項目が選択されたとき前記映像受像機（１２）から供給されるアップ要求又はダウン要求を受信して、前記アップ要求又はダウン要求に対応してボリュームアップ切換え又はボリュームダウン切換えを行う。
【００１１】
好ましくは、前記メニュー表示手段（２３ａ）は、前記映像受像機（１２）から供給されるメニュー表示要求を受信して前記チャンネル切換えの項目と音量調整の項目を含むメニュー表示の映像信号を生成して前記映像受像機（１２）に供給し、
前記切換え手段（２４）は、前記映像受像機（１２）に表示されたメニューのチャンネル切換えの項目が選択されたとき前記映像受像機（１２）から供給されるアップ要求又はダウン要求を受信して前記アップ要求又はダウン要求に対応してチャンネルアップ切換え又はチャンネルダウン切換えを行い、前記映像受像機（１２）に表示されたメニューの音量調整の項目が選択されたとき前記映像受像機（１２）から供給されるアップ要求又はダウン要求を受信して前記アップ要求又はダウン要求に対応してボリュームアップ切換え又はボリュームダウン切換えを行う。
【００１２】
なお、上記括弧内の参照符号は、理解を容易にするために付したものであり、一例にすぎず、図示の態様に限定されるものではない。
【発明の効果】
【００１３】
本発明によれば、操作の汎用性を向上することができる。
【図面の簡単な説明】
【００１４】
【図１】本発明の放送受信装置を映像受像機に接続した映像システムの一実施形態の構成図である。
【図２】本発明の放送受信装置の一実施形態の構成図である。
【図３】映像システムが実行するチャンネル切換え処理のフローチャートである。
【図４】映像システムが実行するチャンネル切換え処理のフローチャートである。
【図５】リモコンの一実施形態の平面図である。
【図６】映像受像機に表示されるメニューの一実施形態を示す図である。
【図７】映像受像機に表示されるメニューの一実施形態を示す図である。
【図８】映像受像機に表示されるサブメニューの一実施形態を示す図である。
【図９】映像受像機に表示されるサブメニューの一実施形態を示す図である。
【発明を実施するための形態】
【００１５】
以下、図面に基づいて本発明の実施形態について説明する。
【００１６】
＜映像システムの構成＞
図１は本発明の放送受信装置を映像受像機に接続した映像システムの一実施形態の構成図を示す。図１において、放送受信装置であるセットトップボックス１０はケーブルテレビジョン放送信号とＩＰ（Ｉｎｔｅｒｎｅｔ  Ｐｒｏｔｏｃｏｌ）テレビジョン放送信号それぞれを受信して、受信したテレビジョンのデジタル映像信号（音声信号も含む）を出力する。セットトップボックス１０はＨＤＭＩケーブル１１によりテレビジョン受像機１２に接続されている。
【００１７】
映像受像機であるテレビジョン受像機１２は例えば地上デジタルテレビジョン放送信号を受信すると共に、セットトップボックス１０からＨＤＭＩケーブル１１を介してデジタル映像信号を供給され、地上デジタルテレビジョン放送、ケーブルテレビジョン放送、ＩＰテレビジョン放送のいずれかを選択し、選択した放送の映像を表示し、音声を出力する。テレビジョン受像機１２はＣＰＵ１４を内蔵し、ＣＰＵ１４によってテレビジョン受像機１２全体の制御を行う。リモコン１３はテレビジョン受像機１２を操作すると共に、ＨＤＭＩケーブル１１を介して接続されたセットトップボックス１０を操作する。
【００１８】
＜放送受信装置の構成＞
図２は本発明の放送受信装置の一実施形態の構成図を示す。図２において、放送受信装置であるセットトップボックス１０は、ＣＡＴＶ（Ｃｏｍｍｕｎｉｔｙ  Ａｎｔｅｎｎａ  ＴｅｌｅＶｉｓｉｏｎ）処理部２１と、ＩＰＴＶ処理部２２と、画像音声処理部２３と、ＣＰＵ２４を有している。
【００１９】
ＣＡＴＶ処理部２１は、ケーブル２６から供給されるケーブルテレビジョン放送信号の受信処理を行い、受信した放送の映像信号及び音声信号を画像音声処理部２３に供給する。
【００２０】
ＩＰＴＶ処理部２２は、ケーブル２７によりＩＰネットワークに接続されており、プロバイダからＩＰネットワークを介して情報を受信し、受信情報からＴＳパケット又は通信メッセージ（制御情報を含む）を得て画像音声処理部２３又はＣＰＵ２４に供給し、ＣＰＵ２４から供給される通信メッセージ（制御情報を含む）等の送信情報を例えばプロバイダに向けてＩＰネットワークに送信する。
【００２１】
画像音声処理部２３は、ＣＡＴＶ処理部２１から供給される映像信号及び音声信号と、ＩＰＴＶ処理部２２から供給されるＴＳパケットのいずれかをＴＭＤＳ（Ｔｒａｎｓｉｔｉｏｎ  Ｍｉｎｉｍｉｚｄ  Ｄｉｆｆｅｒｅｎｔｉａｌ  Ｓｉｇｎａｌｉｎｇ）方式の音声信号を含む映像信号Ｄａｔａ０，Ｄａｔａ１，Ｄａｔａ２に変換してクロックＣＬＫと共にＨＤＭＩケーブル１１を通してテレビジョン受像機１２に供給する。また、画像音声処理部２３内のメニュー作成部２３ａはＣＰＵ２４からの要求により画像音声処理部２３はスーパーインポーズ映像信号を生成し、ＨＤＭＩケーブル１１を通してテレビジョン受像機１２に供給する。
【００２２】
ＣＰＵ２４は、セットトップボックス１０全体の動作制御を行うと共に、ＨＤＭＩケーブル１１で接続されたテレビジョン受像機１２のＣＰＵ１４との間でＨＤＭＩ−ＣＥＣを用いて制御情報の送受信を行う。テレビジョン受像機１２からＣＰＵ２４に対しては、ＨＤＭＩ−ＣＥＣのリモートコントロールパススルー・コマンド等が供給される。
【００２３】
＜チャンネル切換え処理のフローチャート＞
図３及び図４は、図１の映像システムが実行するチャンネル切換え処理のフローチャートを示す。図３において、テレビジョン受像機（ＴＶ）１２のＣＰＵ１４はステップＳ１１でリモコン１３のリンクボタン１５が押下されたか否かを判別する。なお、図５にリモコン１３の一実施形態の平面図を示す。ここで、リンクボタン１５とは、ＨＤＭＩ−ＣＥＣのユーザコントロールコード「Ｒｏｏｔ  Ｍｅｎｕ」を発行する契機となるボタンである。
【００２４】
リンクボタン１５が押下されるとステップＳ１２でテレビジョン受像機１２のＣＰＵ１４はＨＤＭＩ−ＣＥＣのユーザコントロールコード「Ｒｏｏｔ  Ｍｅｎｕ」を生成してセットトップボックス１０のＣＰＵ２４に供給する。これにより、ステップＳ１３でセットトップボックス（ＳＴＢ）１０のメニュー作成部２３ａはメニューのスーパーインポーズ映像信号を生成してテレビジョン受像機１２に供給し、テレビジョン受像機１２は図６に示すメニュー３０を表示する。
【００２５】
図６に示すように、メニュー３０には、例えば「本体設定」，「映像設定」，「音声設定」，「外部接続設定」，「Ｃｈ（チャンネル）切換・Ｖｏｌ（ボリューム）調整」等の項目が表示される。なお、上記の各項目のいずれか１つを選択するためのフォーカス３１が表示されている。また、「Ｃｈ切換・Ｖｏｌ調整」の項目には符号３２を付している。なお、「Ｃｈ切換・Ｖｏｌ調整」３２の代りに、「Ｃｈ切換」の項目、又は、「Ｖｏｌ調整」の項目を表示しても良い。
【００２６】
テレビジョン受像機１２のＣＰＵ１４はステップＳ１４でリモコン１３の十字キーの右矢印ボタン１６ｂが押下されたか否かを判別する。右矢印ボタン１６ｂが押下されるとステップＳ１５でテレビジョン受像機１２のＣＰＵ１４はＨＤＭＩ−ＣＥＣのユーザコントロールコード「Ｒｉｇｈｔ」を生成してセットトップボックス１０のＣＰＵ２４に供給する。これにより、ステップＳ１６でセットトップボックス１０のメニュー作成部２３ａはメニュー３０のフォーカスを右の項目に移動させるスーパーインポーズ映像信号を生成してテレビジョン受像機１２に供給し、テレビジョン受像機１２はフォーカスを移動したメニュー３０を表示する。
【００２７】
ステップＳ１６実行後、又は、ステップＳ１４で右矢印ボタン１６ｂが押下されていない場合、テレビジョン受像機１２のＣＰＵ１４はステップＳ１７でリモコン１３の十字キーの左矢印ボタン１６ｄが押下されたか否かを判別する。左矢印ボタン１６ｄが押下されるとステップＳ１８でテレビジョン受像機１２のＣＰＵ１４はＨＤＭＩ−ＣＥＣのユーザコントロールコード「Ｌｅｆｔ」を生成してセットトップボックス１０のＣＰＵ２４に供給する。これにより、ステップＳ１９でセットトップボックス１０のメニュー作成部２３ａはメニューのフォーカスを左の項目に移動させるスーパーインポーズ映像信号を生成してテレビジョン受像機１２に供給し、テレビジョン受像機１２はフォーカスを移動したメニュー３０を表示する。なお、図７には「Ｃｈ切換・Ｖｏｌ調整」３２の項目にフォーカスを移動したメニュー３０を示している。
【００２８】
ステップＳ１９実行後、又は、ステップＳ１７で右矢印ボタン１６ｄが押下されていない場合、テレビジョン受像機１２のＣＰＵ１４はステップＳ２１でリモコン１３の選択ボタン１７が押下されたか否かを判別する。選択ボタン１７が押下されるとステップＳ２２でテレビジョン受像機１２のＣＰＵ１４はＨＤＭＩ−ＣＥＣのユーザコントロールコード「Ｓｅｌｅｃｔ」を生成してセットトップボックス１０のＣＰＵ２４に供給する。一方、選択ボタン１７が押下されていない場合にはステップＳ１４に進む。
【００２９】
次に、ステップＳ２３でセットトップボックス１０のＣＰＵ２４はフォーカス表示の項目が「Ｃｈ切換・Ｖｏｌ調整」３２（図３では「当該項目」）であるか否かを判別する。フォーカス表示の項目が「Ｃｈ切換・Ｖｏｌ調整」３２であればステップＳ２４に進み、「Ｃｈ切換・Ｖｏｌ調整」以外の項目であればその他の処理を行う。
【００３０】
ステップＳ２４でセットトップボックス１０のメニュー作成部２３ａは「Ｃｈ切換・Ｖｏｌ調整」のサブメニュー３２を表示するスーパーインポーズ映像信号（図３では「当該ＧＵＩ」）を生成してテレビジョン受像機１２に供給し、テレビジョン受像機１２はチャンネル切換えのサブメニュー３４とボリューム調整のサブメニュー３５を表示する。更に、ステップＳ２５でセットトップボックス１０のメニュー作成部２３ａは例えばチャンネル切換えのサブメニュー３４にフォーカス３６を移動するスーパーインポーズ映像信号を生成してテレビジョン受像機１２に供給し、テレビジョン受像機１２はチャンネル切換えのサブメニュー３４にフォーカス３６を移動して表示する。図８に「Ｃｈ切換・Ｖｏｌ調整」３２を選択した場合の画面表示例を示す。
【００３１】
なお、図３，図４はチャンネル切換え処理を示しているためステップＳ２５でチャンネル切換えのサブメニュー３４にフォーカス３６を移動しているが、ボリューム調整処理の場合は、図９に示すようにボリューム調整のサブメニュー３５にフォーカス３６を移動する。
【００３２】
なお、メニュー３０において、「Ｃｈ切換・Ｖｏｌ調整」３２の代りに、「Ｃｈ切換」の項目、又は、「Ｖｏｌ調整」の項目を表示する場合には、「Ｃｈ切換」又は「Ｖｏｌ調整」の選択に応じてチャンネル切換えのサブメニュー３４又はボリューム調整のサブメニュー３５のいずれかがフォーカス３６と共に表示される。また、図８、図９ではメニュー３０を表示していないが、メニュー３０をサブメニュー３４，３５と共に表示しても良い。
【００３３】
図４において、テレビジョン受像機１２のＣＰＵ１４はステップＳ２６でリモコン１３の十字キーの上矢印ボタン１６ａが押下されたか否かを判別する。上矢印ボタン１６ａが押下されるとステップＳ２７でテレビジョン受像機１２のＣＰＵ１４はＨＤＭＩ−ＣＥＣのユーザコントロールコード「Ｕｐ」を生成してセットトップボックス１０のＣＰＵ２４に供給する。これにより、ステップＳ２８でＣＰＵ２４はＣＡＴＶ処理部２１又はＩＰＴＶ処理部２２にチャンネルアップ切換えコマンドを発行してチャンネルアップ切換えを実行する。
【００３４】
ステップＳ２８を実行後、又は、ステップＳ２６で上矢印ボタン１６ａが押下されていない場合、ステップＳ２９でリモコン１３の十字キーの下矢印ボタン１６ｃが押下されたか否かを判別する。下矢印ボタン１６ｃが押下されるとステップＳ３０でテレビジョン受像機１２のＣＰＵ１４はＨＤＭＩ−ＣＥＣのユーザコントロールコード「Ｄｏｗｎ」を生成してセットトップボックス１０のＣＰＵ２４に供給する。これにより、ステップＳ３１でＣＰＵ２４はＣＡＴＶ処理部２１又はＩＰＴＶ処理部２２にチャンネルダウン切換えコマンドを発行してチャンネルダウン切換えを実行する。
【００３５】
ステップＳ３１を実行後、又は、ステップＳ２９で下矢印ボタン１６ｃが押下されていない場合、テレビジョン受像機１２のＣＰＵ１４はステップＳ３２でリモコン１３の戻るボタン１８が押下されたか否かを判別する。戻るボタン１８が押下されるとステップＳ３３でテレビジョン受像機１２のＣＰＵ１４はＨＤＭＩ−ＣＥＣのユーザコントロールコード「ｅｘｉｔ」を生成してセットトップボックス１０のＣＰＵ２４に供給する。これにより、ステップＳ３４でセットトップボックス１０のメニュー作成部２３ａはサブメニュー３４，３５のスーパーインポーズ映像信号の生成を終了し、テレビジョン受像機１２はサブメニュー３４，３５の表示を終了する。一方、ステップＳ３２で戻るボタン１８が押下されていない場合にはステップＳ２６に進む。
【００３６】
ところで、従来のように、テレビジョン受像機から「ＣｈａｎｎｅｌＵＰ」，「ＣｈａｎｎｅｌＤｏｗｎ」，「ＶｏｌｕｍｅＵＰ」，「ＶｏｌｕｍｅＤｏｗｎ」等のコマンドを発行するためには、リモコンに外部機器リンク用（セットトップボックス用）のチャンネルアップボタン、外部機器リンク用のチャンネルダウンボタン、外部機器リンク用のボリュームアップボタン、外部機器リンク用のボリュームダウンボタンが必要となりリモコンに設けるボタン数が増加するが、上記実施形態ではリモコン１３の十字キーの上矢印ボタン１６ａ／下矢印ボタン１６ｃを押下したときにユーザコントロールコード「Ｕｐ」／「Ｄｏｗｎ」を生成しているので、外部機器リンク用のチャンネルアップボタン、外部機器リンク用のチャンネルダウンボタン、外部機器リンク用のボリュームアップボタン、外部機器リンク用のボリュームダウンボタンを設ける必要はない。
【００３７】
上記実施形態によれば、テレビジョン受像機１２がどのメーカであっても、リモコン１３にはほとんどの場合は十字キーが設けられており、ユーザコントロールコード「Ｒｉｇｈｔ」，「Ｌｅｆｔ」，「Ｕｐ」，「Ｄｏｗｎ」を発行できるため、どのメーカのテレビジョン受像機１２であってもセットトップボックス１０のチャンネル切換え及びボリューム調整を行うことができ、操作の汎用性を向上することができる。
【００３８】
なお、音量調整処理においては、ステップＳ２５に対応するステップでサブメニュー３５にフォーカス３６を表示し、ステップＳ２８に対応するステップでＣＰＵ２４からボリュームアップ切換えコマンドをセットトップボックス１０の画像音声処理部２３に供給してボリュームアップ切換えを実行し、ステップＳ３１に対応するステップでＣＰＵ２４からボリュームダウン切換えコマンドをセットトップボックス１０の画像音声処理部２３に供給してボリュームダウン切換えを実行する。
【００３９】
なお、図８ではチャンネル切換えのサブメニュー３４，音量調整のサブメニュー３５それぞれで＋／−を上下に並べ、上矢印ボタン１６ａ／下矢印ボタン１６ｃに対応させてユーザコントロールコード「Ｕｐ」／「Ｄｏｗｎ」を生成しているが、チャンネル切換えのサブメニュー３４，音量調整のサブメニュー３５それぞれで＋／−を左右に並べ、右矢印ボタン１６ｂ／左矢印ボタン１６ｄに対応させてユーザコントロールコード「Ｕｐ」／「Ｄｏｗｎ」を生成するよう構成しても良く、上記実施形態に限定されるものではない。
【００４０】
また、リモコン１３の代りに、テレビジョン受像機１２の設けられた操作ボタンを用いてセットトップボックス１０におけるチャンネル切換え又は音量調整を行う場合にも、上記実施形態と同様にチャンネル切換え又は音量調整を行うことができることはもちろんである。
【符号の説明】
【００４１】
１０  セットトップボックス
１１  ＨＤＭＩケーブル
１２  テレビジョン受像機
１３  リモコン
１４  ＣＰＵ
２１  ＣＡＴＶ処理部
２２  ＩＰＴＶ処理部
２３  画像音声処理部
２３ａ  メニュー作成部２３ａ
２４  ＣＰＵ
【図１】
2011142458.tif 000003
【図２】
2011142458.tif 000004
【図３】
2011142458.tif 000005
【図４】
2011142458.tif 000006
【図５】
2011142458.tif 000007
【図６】
2011142458.tif 000008
【図７】
2011142458.tif 000009
【図８】
2011142458.tif 000010
【図９】
2011142458.tif 000011